(57)【要約】【課題】  写真フィルムの現像処理を行った場合には現像処理液の補充を適正に行うフィルムプロセッサを構成する。【解決手段】  搬送手段で搬送される写真フォルムを赤外線式の存否センサＳで検出することにより、処理液補充手段Ｇが現像処理を行った処理量を積算し、この積算値が予め設定された値に達した時点で現像処理液の補充を行うよう基本的な処理形態が設定され、存否センサＳで写真フィルムを検出できない場合には、検出できないことを液晶表示部２１に表示し、コントロールパネル２０のキーボード２２から写真フィルムの処理長さ情報と、フィルム種類との情報を入力することにより、処理液補充手段Ｇが補充処理を行う。【選択図】        図２
2005274897.tif 000002
【特許請求の範囲】
【請求項１】
フィルム供給部にセットした写真フィルムを、搬送手段によって複数の現像処理槽に搬送して現像処理を行うと共に、この搬送手段で搬送される写真フィルムを検出するセンサを備え、このセンサの検出結果に基づいて前記複数の現像処理槽への現像処理液の補充を行う処理液補充手段を備えているフィルムプロセッサであって、
前記センサが、赤外線を送り出す光源と、この光源からの赤外線が写真フィルムで遮断されたことを検出する受光素子とを備えて構成され、前記処理液補充手段は、供給された写真フィルムを前記存否センサで検出できない場合に、前記補充設定部で設定された情報に基づいて現像処理液の補充を行うように構成されているフィルムプロセッサ。
【請求項２】
前記処理液補充手段は、写真フィルムの現像処理量の積算値が予め設定された値に達する毎に、予め設定された量の現像処理液の補充を行うように処理形態が設定されている請求項１記載のフィルムプロセッサ。
【請求項３】
前記補充設定部は、写真フィルムの長さと、写真フィルムの幅とを設定する情報入力機構、及び、この情報入力機構で入力された情報を処理量情報に変換して出力する信号出力機構を備えている請求項１又は２記載のフィルムプロセッサ。
【請求項４】
前記補充設定部は、人為操作されるスイッチと、このスイッチが操作された場合に、予め設定された処理量情報を出力する信号出力機構とを備えている請求項１又は２記載のフィルムプロセッサ。
【請求項５】
前記フィルム供給部は、未現像の写真フィルムを巻き取ったカートリッジを保持するカートリッジ保持部を備え、このカートリッジ保持部に保持したカートリッジから写真フィルムを引き出して前記搬送手段に送り込み、この写真フィルムの後端部をカッターで切断するよう構成されると共に、
前記補充設定部として、このカートリッジ保持部に保持されたフィルムカートリッジから引き出した後、前記カッターで切断されるまでの写真フィルムの引き出し量を、処理量情報に変換して出力する長さ計測部を備えている請求項１又は２記載のフィルムプロセッサ。
【請求項６】
前記センサでの写真フィルムの存否の判断結果を出力する報知手段を備えている請求項１〜５のいずれか１項に記載のフィルムプロセッサ。
【発明の詳細な説明】
【技術分野】
【０００１】
本発明は、フィルム供給部にセットした写真フィルムを、搬送手段によって複数の現像処理槽に搬送して現像処理を行うと共に、この搬送手段で搬送される写真フィルムを検出するセンサを備え、このセンサの検出結果に基づいて前記複数の現像処理槽への現像処理液の補充を行う処理液補充手段を備えているフィルムプロセッサに関する。
【背景技術】
【０００２】
上記のように構成されたフィルムプロセッサとして、挿入口（本発明のフィルム供給部）から挿入されたフィルム（写真フィルム）を挿入ラック（本発明の搬送手段）から現像処理槽に送り込んで現像処理を行い、現像処理が終了したフィルムを乾燥部で乾燥するよう処理系を備えると共に、挿入口へ挿入されるフィルムの有無を判断するフィルムセンサを備え、このフィルムセンサでフィルムを検出する毎にＮ値をインクリメントし、このＮ値が設定された値に達すると、補充タンクのポンプを駆動して処理液の補充を行い、前記Ｎ値をリセットし、次の処理液の補充に対応できるよう構成されたものが存在する（例えば、特許文献１参照）。
【０００３】
【特許文献１】特開平８‐１２２９９７号公報  （段落番号〔００４２〕〜〔００４５〕、図１〜図３）
【発明の開示】
【発明が解決しようとする課題】
【０００４】
写真フィルムを現像するフィルムプロセッサは、写真フィルムの処理量に対応して現像処理液が劣化するものであり、写真フィルムの処理量を正確に把握して適正な量の現像処理液の補充を行う必要がある。従って、従来からのフィルムプロセッサでは特許文献１に記載されるように写真フィルムの処理量を求め、この処理量に基づいて現像処理液の補充を行っていたのである。
【０００５】
具体的な例を挙げると、従来からのフィルムプロセッサでは、フィルム供給部から現像処理部の側に送られる写真フィルムの存否を判別するように、赤外線を用いた存否センサを備えており、この存否センサで写真フィルムを継続的に検出した場合（赤外線が遮断された場合）には、その検出回数から写真フィルムの処理本数をカウントし、このカウント値が予め設定された値に達すると、処理液補充手段によって現像処理液を補充するものもあった。また、この可否センサは、写真フィルムの長さを計測できるので、現像処理を行う毎に存否センサからの検出信号に基づいて写真フィルムの長さを求めて積算し、この積算値が予め設定された値に達した時点で処理液補充手段によって現像処理液を補充するものも考えられていた。
【０００６】
また、存存否センサは、赤外線（フィルムを感光させない波長の赤外線）を送り出す光源と、この光源からの赤外線が写真フィルムで遮断されたことを検出する受光素子とを備え、写真フィルムによって赤外線が遮断されることを利用して写真フィルムの存在を検出するように構成されるものの、赤外線は物質に対する透過する性質が強いため、例えば、写真フィルムの感光材料として赤外線を透過しやすい乳剤が新たに開発された場合には、その乳剤を使用した写真フィルムを検出できないことも考えられた。つまり、フィルムプロセッサは、想定されたものより赤外線を透過しやすい写真フィルムの現像処理を行う場合には、現像処理液の補給が不能になることや、補給量が不足することも想定され改善が望まれていたのである。
【０００７】
そこで、写真フィルムに接触する構造の存否センサを用いることも考えられるが、この種の存否センサは、写真フィルムに接触することにより姿勢が変化する接触片と、この接触片の姿勢変化を検出するスイッチ類等を必要とするため、機械的な作動部に故障を発生しやすいばかりでなく、接触片が写真フィルムに接触するので写真フィルムに擦り傷を作りやすい不都合を招くものであった。
【０００８】
本発明の目的は、接触型のセンサを用いずとも写真フィルムの現像処理を行った場合には現像処理液の補充を適正に行うフィルムプロセッサを合理的に構成する点にある。
【課題を解決するための手段】
【０００９】
本発明の特徴は、フィルム供給部にセットした写真フィルムを、搬送手段によって複数の現像処理槽に搬送して現像処理を行うと共に、この搬送手段で搬送される写真フィルムを検出するセンサを備え、このセンサの検出結果に基づいて前記複数の現像処理槽への現像処理液の補充を行う処理液補充手段を備えているフィルムプロセッサであって、
前記センサが、赤外線を送り出す光源と、この光源からの赤外線が写真フィルムで遮断されたことを検出する受光素子とを備えて構成され、前記処理液補充手段は、供給された写真フィルムを前記存否センサで検出できない場合に、前記補充設定部で設定された情報に基づいて現像処理液の補充を行うように構成されている点にある。
【００１０】
この構成により、センサで写真フィルムを検出した場合には、このセンサの検出結果に基づいて処理液補充手段が現像処理液の補充を行い、供給された写真フィルムをセンサで検出できない場合には、処理液補充手段が、補充設定部で設定された情報に基づいて現像処理液の補充を行うものとなる。その結果、接触型のセンサを用いないものでありながら、写真フィルムの現像処理を行った場合には、現像処理液の補充を適正に行えるフィルムプロセッサが構成されたのである。
【００１１】
本発明は、前記処理液補充手段として、写真フィルムの現像処理量の積算値が予め設定された値に達する毎に、予め設定された量の現像処理液の補充を行うように処理形態を設定しても良い。
【００１２】
写真フィルムの処理本数に基づいて現像処理液の補充を行うものでは、同じサイズ（同じ幅）の写真フィルムであっても、長い写真フィルムばかりの現像処理を行う場合と、短い写真フィルムばかりの現像処理を行う場合とで現像処理液の劣化の程度が異なり、この写真フィルムの本数に基づいて現像処理液の補充を行う場合でも、その現像処理液の補充が適正と云えないものであった。これと比較すると、本発明では、写真フィルムの現像処理量（例えば、写真フィルムの長さ）の積算値に基づいて現像処理液の補充の可否を判断できるので、適正な量の現像処理液の補充を実現する。
【００１３】
本発明は、前記補充設定部として、写真フィルムの長さと、写真フィルムの幅とを設定する情報入力機構、及び、この情報入力機構で入力された情報を処理量情報に変換して出力する信号出力機構を備えても良い。
【００１４】
この構成により、情報入力機構から写真フィルムの長さを任意に入力することにより、入力された情報を信号出力機構が処理量情報に変換して出力するので、センサで写真フィルムを検出できない場合でも適正な量の現像処理液の補充を行える。
【００１５】
本発明は、前記補充設定部として、人為操作されるスイッチと、このスイッチが操作された場合に、予め設定された処理量情報を出力する信号出力機構とを備えても良い。
【００１６】
この構成により、スイッチを操作することにより、信号出力機構が予め設定された処理量情報を出力するので、写真フィルムの長さの情報を入力しなくとも現像処理液の補充を行える。
【００１７】
本発明は、前記フィルム供給部は、未現像の写真フィルムを巻き取ったカートリッジを保持するカートリッジ保持部を備え、このカートリッジ保持部に保持したカートリッジから写真フィルムを引き出して前記搬送手段に送り込み、この写真フィルムの後端部をカッターで切断するよう構成されると共に、
前記補充設定部として、このカートリッジ保持部に保持されたフィルムカートリッジから引き出した後、前記カッターで切断されるまでの写真フィルムの引き出し量を、処理量情報に変換して出力する長さ計測部を備えても良い。
【００１８】
この構成により、フィルム供給部のカートリッジ保持部にカートリッジをセットして現像処理を行う際には、カートリッジから写真フィルムを引き出して搬送手段に送り込み、この写真フィルムの後端部をカッターで切断する作動が行われ、このような作動が行われた際には、信号出力機構が、写真フィルムの引き出し量を処理量情報に変換して出力するので、人為的な操作を行わずとも、適正な写真フィルムの長さに基づいた現像処理液の補充を実現する。
【００１９】
本発明は、前記センサでの写真フィルムの存否の判断結果を出力する報知手段を備えても良い。
【００２０】
この構成により、写真フィルムの現像処理を開始した後には、センサが写真フィルムを検出したか否かの判断を報知手段の報知内容から把握できるものとなり、補充設定部に対する人為的な設定の是非を容易に判断できるものとなる。
【発明を実施するための最良の形態】
【００２１】
以下、本発明の実施形態を図面に基づいて説明する。
図１に示すように、筐体１の前端部に形成したフィルム供給部Ａにセットされた未現像の写真フィルムＦを筐体内部の複数の現像処理槽Ｔを備えた現像処理部Ｂに導入して現像処理を行い、この現像処理後の写真フィルムＦを乾燥処理部Ｃで乾燥し、この乾燥の後の写真フィルムＦを筐体１の上部に配置したフィルムストッカーＤに送り出すようにフィルムプロセッサが構成されている。
【００２２】
このフィルムプロセッサは、１３５サイズの写真フィルムばかりでなく、２４０サイズ、１１０サイズ、１２０サイズや２２０サイズの写真フィルムＦの現像処理を行えるように構成されている。これらの写真フィルムＦの現像処理を行う場合には、その写真フィルムＦの先端に柔軟な樹脂で成る板状のリーダ（図示せず）を取り付け、そのリーダを前記フィルム供給部Ａにセットすることにより、リーダとともに写真フィルムＦを現像処理部Ａ、現像処理部Ｂ、乾燥処理部Ｃ、フィルムストッカーＤ夫々に搬送して処理を行うよう構成され、この搬送を実現する搬送手段を備えている。
【００２３】
前記フィルム供給部Ａは、開閉自在な蓋体２の内部に１３５サイズの写真フィルムＦを巻き取ったカートリッジＣａ（パトローネ）を保持するカートリッジ保持部３を備えると共に、このカートリッジＣａから引き出した写真フィルムＦと、その写真フィルムＦの先端に取り付けたリーダとを送り出す供給機構４を備え、写真フィルムＦの後端位置を切断するカッター５を備えている。また、このフィルム供給部Ａは１３５サイズ以外のサイズの写真フィルムの現像処理を行う場合にはカッター５を作動させずに写真フィルムＦを現像処理部Ｂに送り出せるように構成されている。
【００２４】
また、前記フィルム供給部Ａから写真フィルムＦを送り出す搬送経路に写真フィルムＦの存否を判別する存否センサＳを備えている。この存否センサＳは、写真フィルムＦの幅方向に配置した複数の赤外線光源８と、これに対応する複数の受光素子９とを備え、赤外線が写真フィルムＦで遮断されることにより写真フィルムＦの存在を検出し、赤外線が遮断された受光素子９の数から写真フィルムＦの幅を求めて写真フィルムＦの種類を判別できるように構成されている。
【００２５】
この存否センサＳは写真フィルムＦが感光しない波長の赤外線を複数の赤外線光源８から照射し、この波長の赤外線を全ての受光素子９が受光することにより写真フィルムＦが存在しないと判断し、赤外線が遮断され受光素子９で赤外線を受光しない場合に写真フィルムＦが存在すると判断し、また、複数の赤外線光源８から送り出される赤外線の全てが遮断された場合には２Ｂの写真フィルムＦ（１２０、２２０サイズ）と判断し、一部が遮断された場合には、１３５サイズあるいは２４０サイズと判断し、最も少ない数の赤外線が遮断された場合には１１０サイズと判断する。そして、このように判別された写真フィルムＦの長さと、幅（サイズ）とから現象処理量が求められるのである。
【００２６】
前記現像処理部Ｂの現像処理槽Ｔは、発色現像処理、漂白処理、定着処理、安定処理を行う複数種のものを備えると共に（現像処理槽Ｔは発色現像処理、漂白処理、定着処理、安定処理夫々の処理を行う処理槽の総称）、この複数の現像処理槽Ｔに写真フィルムを送るように複数のローラとスプロケットとを有した搬送ユニット１２を備えている。
【００２７】
前記乾燥処理部Ｃは写真フィルムＦを案内する複数のローラ１４と、この複数のローラ１４で送られる写真フィルムＦに対してヒータ１５で加熱された加熱空気を供給するブロワ１６とを備えている。また、前記フィルム供給部Ａからの写真フィルムＦを送り出す搬送系と、現像処理部Ｂの搬送ユニット１２と、前記乾燥処理部Ｃの複数のローラ１４とで前記搬送手段が構成されている。
【００２８】
筐体１の端部前記フィルム供給部Ａに並列する位置には補充設定部として図３に示すコントロールパネル２０を備え、このコントロールパネル２０の下方の筐体１内部にはマイクロプロセッサを有した制御装置２５（図１を参照）を備えている。
【００２９】
前記コントロールパネル２０には液晶表示部２１（報知手段の一例）とキーボード２２（情報入力機構の一例）とを備えており、このコントロールパネル２０の内部にはマイクロプロセッサを有した情報処理部２３（信号出力機構の一例）を備えている。情報処理部２３はキーボード２２から入力された情報を処理して液晶表示部２１に表示する処理と、前記制御装置２５からの情報を液晶表示部２１に表示する処理と、キーボード２２から入力された情報を処理情報に変換して前記制御装置２５に出力するよう機能する。キーボード２２には強制設定キー２２Ａと、任意設定キー２２Ｂと、一対の選択キー２２Ｃと、決定キー２２Ｄとが形成されている。尚、これらのキーはスイッチとして機能するものである。
【００３０】
前記制御装置２５は、前記搬送手段を制御し、前記複数の現像処理槽Ｔに対する現像処理液を管理し、前記乾燥処理部Ｃにおけるヒータ１５とブロワ１６との作動時間を設定するばかりでなく、制御装置２５に対して現像処理液の補充制御を行うようにソフトウエアで成る処理液補充手段Ｇがインストールされている。この処理液補充手段Ｇによる処理形態は後述する。
【００３１】
図１に示すように、前記現像処理槽Ｔの下方には、各現像処理槽Ｔに補充する現像処理液（発色現像処理液、漂白処理液、定着処理液、安定処理液の各処理液の総称）を貯留する処理液タンク３１と、水を貯留する水タンク３２と、これらに対応したポンプＰ２、Ｐ３とを備えている。
【００３２】
図２のように、この現像処理液の補充を行う制御系と、現像処理槽Ｔに付随したハードウエアとを示すことが可能である。つまり、各現像処理槽ＴにはサブタンクＴａを備えており、このサブタンクＴａの底部からフィルタ３４を介して吸入した現像処理液を第１ポンプＰ１から現像処理槽Ｔに供給する循環経路を形成してあり、サブタンクＴａに対して第２ポンプＰ２を介して現像処理液を補充する補充経路と、サブタンクＴａに対して第３ポンプＰ３を介して水を補給する補充経路とを形成してある。更に、現像処理槽Ｔの現像処理液を第４ポンプＰ４によって廃液タンク３５に排出する排出経路を形成している。また、サブタンクＴａには現像処理液の温度を計測する温度センサ３６と、現像処理液の液面レベルを計測するためのフロート型の液面センサ３７と、現像処理液を加熱する電気ヒータ３８とを備えている。図面には１つの現像処理槽Ｔの構成を示しているが、各現像処理槽Ｔは前述したものと同様の現像処理液の管理系を具備しており、夫々の現像処理槽Ｔにおいて以下に説明する制御が独立して実行される。
【００３３】
前記制御装置２５は、前記存否センサＳを構成する受光素子９からの検出信号が入力し、前記コントロールパネル２０の情報処理部２３の情報がアクセスし、前記フィルム供給部Ａに備えたカッター５を制御するカッター制御部６からの信号に基づいて、カートリッジＣａからの引き出された写真フィルムＦの長さを計測する長さ計測部７からの信号が入力し、前記温度センサ３６と、前記液面センサ３７とからの計測信号が入力する。また、この制御装置２５は前記第１、第２、第３、第４ポンプＰ１、Ｐ２、Ｐ３、Ｐ４と前記電気ヒータ３８に対して制御信号を出力するように信号系が形成されている。
【００３４】
この制御装置２５は、前記液面センサ３７の計測結果から液面が予め設定された目標レベルから低下していることを判別した場合には、前記第３ポンプＰ３を駆動して液面が目標レベルに達するまで水の補充を行い、前記温度センサ３７の計測結果から処理液の温度が予め設定された目標温度から低下していることを判別した場合には、前記電気ヒータ３８に制御信号を出力して液温の上昇を図るよう基本的な制御形態が設定されている。この制御装置２５は、前記処理液補充手段Ｇが、各現像処理槽Ｔに対する現像処理液の補充を自動的に行うものであり、この処理液補充手段Ｇにおける制御形態を図４のフローチャートのように示すことが可能である。
【００３５】
つまり、フィルムプロセッサが稼動すると、その直後にハードディスクや不揮発性メモリ等に保存されて積算値Ｌｓをロードし、処理量取得ルーチンを実行する（＃０１、＃１００ステップ）。
【００３６】
この処理量取得ルーチン（＃１００ステップ）はサブルーチンとしてセットされたものである。つまり、図５のフローチャートに示すように、存否センサＳで写真フィルムＦを検出した場合には、その存否センサＳが検出状態にある時間に基づいて写真フィルムＦの長さを求めて処理長さに設定し、また、存否センサＳでフィルム種類を特定し、この処理長さ情報とフィルム種類との情報を出力する（＃０１〜＃０３ステップ）。
【００３７】
また、現像処理を開始した後に写真フィルムＦを検出しない場合、具体的には、リーダを存否センサＳで検出した後において、存否センサＳで写真フィルムＦを検出できない場合には、非検出であることを液晶表示部２１に文字やシンボル等で表示すると共に、処理長さとフィルム種類との情報のデフォルト値をセットする（＃１０４、＃１０５ステップ）。更に、カッター５が作動した場合、又は、キーボード２２から写真フィルムＦを指定する操作が行われた場合には、対応するフィルム長さとフィルム種類との情報をセットしてデフォルト値をクリヤし、この後、セットされた情報を出力する（＃１０６、＃１０７ステップ）。
【００３８】
具体的に説明すると、＃１０６ステップでは、フィルム供給部Ａに１３５サイズの写真フィルムＦがセットされている場合には、カッター５が作動するまでの写真フィルムＦの引き出し長さを処理長さにセットし、フィルム種類として１３５サイズであることを示す情報をセットすることになる。また、キーボード２２の強制設定スイッチ２２Ａが操作された場合には最大長さとなる処理長さと、ブローニであることを示すフィルム種類との情報とをセットする。また、任意設定キー２２Ｂの操作に続いて選択キー２２Ｃの操作で現像処理を行った写真フィルムＦの長さと種類とを選択した後に決定キー２２Ｄを操作した場合にも対応する長さを処理長さと対応するフィルム種類との情報をセットする。
【００３９】
このように処理量取得ルーチンから情報を取得した場合には、処理長さとフィルム種類との情報を、予め設定されたサイズのフィルム長さに換算する換算処理（現像処理量を求める処理）の後に、換算された処理長さＬａ（現像処理量）の積算値の計算〔Ｌｓ←（Ｌｓ＋Ｌａ）〕を行い、この積算値が予め設定された基準値Ｌｘに達した場合（Ｌｓ≧Ｌｘ）には設定量の現像処理液の補充を行い、更に、余剰長さを保存〔Ｌｓ←（Ｌｘ−Ｌｓ）〕する（＃０２〜＃０６ステップ）。
【００４０】
この処理はフィルムプロセッサが稼動している限り継続して実行され、フィルムプロセッサを停止させる場合には積算値Ｌｓをハードディスクや不揮発性メモリ等に保存して終了するのである（＃０７、＃０８ステップ）。尚、フィルムプロセッサの稼動を停止する際に積算値Ｌｓを保存しておくことにより、次にフィルムプロセッサを稼動させた場合にも既に保存されている積算値Ｌｓに対して、この後に現像処理を行った写真フィルムＦの処理長さとフィルム種類との情報に基づいた処理長さＬａ（現像処理量）を積算することにより積算値Ｌｓを求めて現像処理液の適正な補充を行えるのである。
【００４１】
つまり、このフィルムプロセッサでは、現像処理を行う写真フィルムＦの処理長さと、フィルム種類との情報を取得し、このように取得した情報に基づいて、予め設定された種類の写真フィルムＦの処理長さＬａに換算すると共に、このように換算した処理長さＬａの積算値Ｌｓが予め設定された値に達すると、４種の現像処理槽Ｔに対して、夫々に対応した設定量の現像処理液の補充と、水の補充とを行うものであり、このように現像処理液の補充を行った際には、予め設定された基準値Ｌｘより積算値Ｌｓが長い場合には、その余剰長さを積算値Ｌｓとして保存する処理を行うことで適正な補充を行えるものにしている。また、フィルムプロセッサを停止させる場合には、それまでの現像処理を行った写真フィルムＦの積算値Ｌｓを保存することにより、次に行う現像処理における現像処理液の補充を適正なものにしている。
【００４２】
そして、存否センサＳで検出できない写真フィルムＦの現像処理を行う場合には、写真フィルムＦを検出できない状態にあることを液晶表示部２１に表示することによって、オペレータに対して状況を認識させると共に、処理長さとして、例えば、１３５サイズで２４ＥＸＰ等の一般的な値のデフォルト値をセットする。また、存否センサＳで写真フィルムＦを検出できない状況において、その写真フィルムＦの現像処理を行う際にカッター５が作動するものでは、写真フィルムの引き出し量を処理長さとし、１３５サイズをフィルム種類として、夫々の情報をセットする。更に、存否センサＳで検出できない状況においてキーボード２２の操作に基づいて処理長さがセットされた場合には、最大値の処理長さとブローニ（２２０サイズ）であることを示すフィルム情報とがセットされることにより現像処理液の補充量が不足することがない。
【００４３】
特に、このフィルムプロセッサでは、現像処理を行う際に写真フィルムＦを検出できない場合には、デフォルト値が設定されるので人為的にフィルム長さを入力しなくとも、現像処理液の補充が可能となり、このデフォルト値として現像処理の頻度が最も高い写真フィルムの処理長さとフィルム種類との情報をセットするので、大きい誤差を生ずることもないのである。
【００４４】
このように本発明によると、写真フィルムＦの現像処理を行う場合には、写真フィルムＦの処理長さとフィルム情報とに基づき予め想定した幅の写真フィルムＦに対応する処理長さＬａに変換し、この処理長さＬａを積算することによって、現実に現像処理を行った写真フィルムＦの総面積を求め、その写真フィルムＦの現像処理に使用した現像処理液の量を適正に把握して、現像処理液の補充を適正に行えるものに構成している。また、現像処理液を補充する場合には、決まった量の現像処理液の補充を行うので、流量センサを用いずとも、例えば、ベローズポンプのように１回の作動で決まった量の現像処理液の補充を行える簡単で低廉なポンプの使用を可能にしている。また、存否センサＳで写真フィルムＦを検出できない場合に、任意に情報の入力を行わない場合でもデフォルト値に基づいて現像処理液の補充を行え、存否センサＳで写真フィルムＦを検出できない場合でも、１３５サイズの場合には人為的な操作を何ら行わずとも現像処理液の補充を適正に行えるのである。更に、存否センサＳで写真フィルムＦを検出できない場合には液晶表示部２１に対して非検出であることが表示されるので、オペレータが非検出状態であることを認識してキーボード２２の強制設定キー２２Ａから簡易な情報を入力して、不足しない量の現像処理液の補充を行うことや、任意設定キー２２Ｂの操作に続いて選択キー２２Ｃを操作して、現像処理を行った写真フィルムＦの長さと種類とを選択した後に決定キー２２Ｄを操作することで現像処理液の適正な補充を行えるのである。
【００４５】
〔別実施の形態〕
本発明は、上記した実施の形態以外に以下のように構成しても良い。
【００４６】
（イ）情報入力機構としてのキーボード２２に対して主要な写真フィルムに対応した複数のキーを備えても良い。このように構成した場合には写真フィルムに対応するキーを１度だけ操作すると云う、極めて簡単な操作によって処理長さとフィルム種類との情報を設定できる。また、キーボード２２から処理長さとフィルム種類との情報を数値で入力するように構成しても良い。
【００４７】
（ロ）存否センサＳで写真フィルムＦを検出できない状況にある場合には、検出できない状況にあることを音声で報知できるように報知手段を構成する。このように報知手段を構成することにより、写真フィルムＦが存否センサＳで検出できない状態にあることを確実にオペレータに認識させ得るものとなり、一層適正に現像処理液の補充を行える。
【図面の簡単な説明】
【００４８】
【図１】フィルムプロセッサの縦断側面図
【図２】制御系のブロック回路図
【図３】コントロールパネルを示す図
【図４】処理液補充処理のフローチャート
【図５】処理量取得ルーチンのフローチャート
【符号の説明】
【００４９】
３            カートリッジ保持部
５            カッター
８            光源
９            受光素子
２０          補充設定部
２２          情報入力機構
２３          信号出力機構
Ａ            フィルム供給部
Ｃａ          カートリッジ
Ｆ            写真フィルム
Ｇ            処理液補充手段
Ｓ            センサ
Ｔ            現像処理槽
【図１】
2005274897.tif 000003
【図２】
2005274897.tif 000004
【図３】
2005274897.tif 000005
【図４】
2005274897.tif 000006
【図５】
2005274897.tif 000007